Podtech/llm-jp-corpus-v4-ja_patent huggingface dataset:
(57)【要約】【課題】  布ぞうりを編む時、初心者には巾揃えが難しく、経験と勘を必要とする。【解決手段】  編み台と締め具を備えることを、特徴とする布ぞうり編み具で、締め具に成型された柱体を定規として編み進むため、初心者でも自然に巾が揃い、体裁の良い布ぞうりが作れる。【選択図】図３
2009084769.tif 000002
【特許請求の範囲】
【請求項１】
縦５０ｃｍ横１５ｃｍ程度の基板に、縦方向先端部へ４個の鉤状フック、手前部へ１個の棒状フックを各々垂直に有する編み台と、縦７ｃｍ横２０ｃｍ程度の平板に、厚さ０．３ｃｍ巾１．８ｃｍ高さ４ｃｍ程度の柱体３本を横方向端辺近くに所定間隔で成型している締め具を、備えることを特徴とした、布ぞうり編み具。
【請求項２】
前記編み台に有する各フックと、前記締め具に成型している柱体の高さが同程度であることを特徴とする、請求項１に記載の布ぞうり編み具。
【発明の詳細な説明】
【技術分野】
【０００１】  本発明は、布ぞうり編み具に関するものである。
【背景技術】
【０００２】  布ぞうりを編む時、初心者には巾揃えが難しく、経験と勘を必要とする。
そこで、例えば特許文献１（段落番号０００８と００１２）に示される［特許文献１］実用新案登録第３１１６４８６号公報のような技術が開示されている。
【発明の開示】
【発明が解決しようとする課題】
【０００３】  上記、従来の技術では、円柱体の太さ１ｃｍと太く、又作業過程にて３〜４往復編み込んだところで円柱体をはずして、再び編み込んだ紐より奥側から骨組内に挿入し手前に引っ張り編み込んだ紐を締め付けるとあるが、編み込んだ紐の弛みが大きくなり、安定した締め付けが出来ない問題点がある。
本発明はかかる従来技術の問題点に鑑みなされた、布ぞうり編み具を提供することを目的とする。
【課題を解決するための手段】
【０００４】  上記問題点を解決するための請求項１に記載の発明は、縦５０ｃｍ横１５ｃｍ程度の基板に、縦方向先端部へ４個の鉤状フック、手前部へ１個の棒状フックを各々垂直に有する編み台と、縦７ｃｍ横２０ｃｍ程度の平板に、厚さ０．３ｃｍ巾１．８ｃｍ高さ４ｃｍ程度の柱体３本を横方向端辺近くに所定間隔で成型している締め具を、備えたものである。【０００５】  さらに、請求項２に記載の発明は、前記編み台に有する各フックと、前記締め具に成型している柱体の高さを同程度にしたものである。
【発明の効果】
【０００６】  布ぞうりを編む時、巾揃えが難しく経験と勘を必要としたが、初心者でも容易に巾の揃った体裁の良い布ぞうりを作ることが出来る。
【発明を実施するための最良の形態】
【０００７】  以下、添付図面に従って実施例を説明する。図３の実施形態を示す斜視図のごとく椅子に腰を掛け、卓上に編み具を置き、楽な姿勢で作業を行う。
１基板は２鉤状フック部を先端、３棒状フック部を手前部とし、先ず６芯ひもを２鉤状フックと３棒状フックに掛け、６芯ひもの両端は３棒状フック部にて結び繋げておく。
７編み布の編み出しは一般的な方法で行い、二段程編んだ時点で、図２締め具を１基板と６芯ひもの間に入れ、６芯ひもと６芯ひもの間、三箇所各々へ、５柱体を８編み込んだ編み布の前方え差し込み、手前に引き寄せ、編み残りの７編み布を左右該当方向へ引っ張る。続いて、５柱体の前方へ７編み布を一段編み込み、再度編み残りの７編み布を左右該当方向え引っ張る。次に、８編み込んだ編み布間に有る５柱体を下へ引き抜き８編み込んだ編み布の前方へ再度差し込み、手前に引き寄せ、編み残りの７編み布を左右該当方向へ引っ張る。この図２締め具を使用した作業を、一段編み込む毎に繰り返し行うことと、５柱体の厚さが０．３ｃｍと薄いため、８編み込んだ編み布の弛みも少なく、５柱体の左右外端間寸法が布ぞうりの巾の定規となり、自然と編めて行く布ぞうりの巾が一定に決まる。又、図１編み台に有する２鉤状フック及び５棒状フックと、図２締め具に成型される５柱体の高さが同程度であるため、図２締め具は１基板の面を滑らしながら楽に作業をすることができる。図２締め具を手前に引き寄せるために生じる図１編み台の手前へえの移動は、１基板の手前円形部を腹部で受け止めることで防ぐことができる。
【図面の簡単な説明】
【０００８】
【図１】本発明の編み台の斜視図である。
【図２】本発明の締め具の斜視図である。
【図３】実施形態を示す斜視図である。
【符号の説明】
【０００９】１  基板
２  鉤状フック
３  棒状フック
４  締め具の平板
５  柱体
６  芯ひも
７  編み布
８  編み込んだ編み布
【図１】
2009084769.tif 000003
【図２】
2009084769.tif 000004
【図３】
2009084769.tif 000005
(57)【要約】【課題】  頭部の保護が可能であり、且つ、サイズの調節が可能な帽子のインナー部材であって、これに抗菌・消臭作用を付加することで、快適な帽子のインナーとする。【解決手段】  帽子の汗止めの中に装着されるように、頭部を覆う形状に形成した緩衝材を備えるとともに、緩衝材を覆う布地が抗菌・消臭加工素材で緩衝材に接着させる。緩衝材が、所定の厚みを有するエチレン・ビニル・アセテートであり、インナー部材の後部には、頭部のサイズに対応してサイズが調整できるように、縦方向の切り込みを設け、また、インナー部材の下部には、切取り用の縁取りが施されている。【選択図】  図２
2009084766.tif 000002
【特許請求の範囲】
【請求項１】
帽子本体と頭部との間に介在させて、頭部を保護するインナー部材であって、
該インナー部材は、帽子の汗止めの中に装着されるように、頭部を覆う形状に形成した緩衝材を備えるとともに、該緩衝材を覆う布地が抗菌・消臭加工素材で前記緩衝材に接着していることを特徴とするインナーキャップ。
【請求項２】
前記緩衝材は、所定の厚みを有するエチレン・ビニル・アセテートであることを特徴とする請求項１に記載のインナーキャップ。
【請求項３】
前記インナー部材の後部には、頭部のサイズに対応してサイズが調整できるように、縦方向の切り込みを設けていることを特徴とする請求項１または２に記載のインナーキャップ。
【請求項４】
前記インナー部材の下部には、切取り用の縁取りが施されていることを特徴とする請求項１ないし３の何れかに記載のインナーキャップ。
【発明の詳細な説明】
【技術分野】
【０００１】
本発明は、転倒等による頭部の損傷を防止するために帽子の内部に嵌め込み装着して頭部を保護する帽子のインナーに関する。
【背景技術】
【０００２】
日常生活、あるいは歩行中に起きる不意の転倒は、後頭部や側頭部の強打により重大な傷害を起こす恐れが高い。特に寒冷地では路面の凍結による転倒事故が多発している。このような生活面での傷害防止のための保護帽子につき、特許文献１が提案されている。
特許文献１には、ゴルフ用ハットあるいは野球帽などの頭部全体を覆う布製の帽子の内部に、後頭部、頂部、側頭部を覆うように形成された四半球形の硬質樹脂製のシエルと、その内側に貼付されたスポンジ状緩衝材から構成された保護用帽子が開示されている。
【特許文献１】特開２００３−１２９３２４号公報
【発明の開示】
【発明が解決しようとする課題】
【０００３】
従来の保護帽子のインナーは、抗菌・消臭・制菌処理がされてなく、また、サイズ調整が難しいと言う問題があった。
本発明は、頭部の保護が可能であり、且つ、サイズの調節が可能な帽子のインナー部材であって、これに抗菌・消臭作用を付加することで、快適な帽子のインナーとすることを目的とする。
【課題を解決するための手段】
【０００４】
上記目的を達成するため、請求項１に記載の発明は、帽子本体と頭部との間に介在させて、頭部を保護するインナー部材であって、該インナー部材は、帽子の汗止めの中に装着されるように、頭部を覆う形状に形成した緩衝材を備えるとともに、該緩衝材を覆う布地が抗菌・消臭加工素材で前記緩衝材に接着していることを特徴とする。
請求項２に記載の発明は、前記緩衝材が、所定の厚みを有するエチレン・ビニル・アセテートであることを特徴とする。
請求項３に記載の発明は、前記インナー部材の後部には、頭部のサイズに対応してサイズが調整できるように、縦方向の切り込みを設けていることを特徴とする。
請求項４に記載の発明は、前記インナー部材の下部には、切取り用の縁取りが施されていることを特徴とする。
【発明の効果】
【０００５】
頭部を覆う形状に形成した緩衝材を覆う布地が、抗菌・消臭加工素材で形成されることにより、衝撃に対して頭部を守ることができ、且つ、清潔なインナーキャップとすることができる。そして、インナーキャップは、帽子本体と頭部との間に介在させるだけで取り付けられるので、着脱が容易なものとすることができる。
インナー部材の後部に縦方向の切り込みを設けること、及び／又は、インナー部材の下部に切取り用の縁取りを設けることにより、頭部のサイズに対応してサイズが調整できるので、汎用性があるものとすることができる。
【発明を実施するための最良の形態】
【０００６】
本発明の実施例１について図面を参照して説明する。図１は本発明のインナーキャップの正面図であり、図２は背面図である。
本発明のインナーキャップ（インナー部材）１は、エチレン・ビニル・アセテート（ＥＶＡ）を半球形の帽子形に形成するとともに、表地及び裏地を制菌加工素材、例えば、バイオガード（ＢＩＯ  ＧＵＡＲＤ（登録商標））で覆う３層構造で形成したものである。表地及び裏地は、例えば、消臭機能を備えた繊維素材を利用することもでき、これらを組み合わせて形成することもできる。ちなみに、消臭機能を備えた素材としてポリエステル１００％のＣＧーＸ（登録商標）を利用してもよい。
【０００７】
本発明のインナーキャップ１の下部には、スペース３を介して２本の縁取り２、４が施されており、縁取り２、４に沿って切り取ることで、インナーキャップ１の深さが調節される。本実施例では、縁取り２、４の幅を６ｍｍ、スペース３の幅を５ｍｍとしているが、特に限定されるものではない。尚、インナーキャップ１の厚みは４ｍｍ程度であるが、縁取り２、４部分は、ハサミでカットできる程度の厚さにするために、概ね、２ｍｍ程度につぶして形成される。縁取り２、４部分をハサミで切ってもほつれることはなく、縁取り２、４の通りに切るとインナーキャップ１の深さを浅くできるので、汎用性のあるものとすることができる。
【０００８】
図２に示すように、インナーキャップ１の後部には、頭部のサイズに対応してサイズが調整できるように、縦方向のスリット（切り込み）６を設けている。このスリット６の寸法はスリット６自体の幅が１０ｍｍ程度であり、スリット間の間隔は９０ｍｍ程度である。このスリット６を設けることにより、サイズが調節できるものとなり、市販の帽子の中にでも楽に収納することができるものになる。また、このようにスリット６を設けると、帽子からインナーキャップ１が外れなくなる。尚、このスリット６部分は、購入者が自らハサミできるようにしてもよく、スリット６部分をハサミで切ってもほつれてこないようにし、且つ、厚みが出ないようにする。
【０００９】
以上、本発明のインナーキャップ１は、制菌性、安全性、耐久性に優れ、通常使用している帽子の中に入れることで、衝撃に対して緩衝能力を持った帽子になる。そして、インナーキャップ１を帽子に入れても、周囲からは見えないので、小学生の体育帽の中に入れることも可能になる。
また、緩衝材を格子状にし、中空形状にするとともに、緩衝材を覆う生地も薄くすることで、通気性も良く、重量も軽く着用感が快適なものとすることができる。
【図面の簡単な説明】
【００１０】
【図１】本発明のインナーキャップの正面図である。
【図２】発明のインナーキャップの背面図である。
【符号の説明】
【００１１】
１  インナーキャップ
２、４  縁取り
３  スペース
６  スリット
【図１】
2009084766.tif 000003
【図２】
2009084766.tif 000004
(57)【要約】【課題】  着付け状態で帯の下縁、御端折りの下縁、前身頃の下縁が夫々平行で水平となるようにすることにある。【解決手段】  前身頃布１１を後身頃布１２より所定幅Ｄだけ長く設定すると共に、前記した前身頃布１１の一部に於ける脇縫い側１５を前記した所定幅Ｄ分だけ端折り、襟下側１６にかけて三角形のタック１７を形成して縫合したことを特徴とする和服の構成である。ここでは、前身頃布と後身頃布とを脇縫いして前身頃布と後身頃布の裾下端を揃えると、後身頃布に対して前身頃布の襟下側上部は余裕をもって膨らむことになり、仕立てて着付けた状態では、えもんを抜いて胸の膨らみによって前身頃がとられても後身頃と同じ長さ丈となり、前身頃の裾下縁を水平にすることができる。【選択図】        図４
2009084762.tif 000002
【特許請求の範囲】
【請求項１】
前身頃布（１１）を後身頃布（１２）より所定幅（Ｄ）だけ長く設定すると共に、前記前身頃布（１１）の一部に於ける脇縫い側（１５）を前記所定幅（Ｄ）分だけ端折り、襟下側（１６）にかけて三角形のタック（１７）を形成して縫合したことを特徴とする和服。
【発明の詳細な説明】
【技術分野】
【０００１】
本発明は、婦人用の和装にあって、長襦袢、着物等の和服に関するものである。
【背景技術】
【０００２】
婦人の和装は、その着付けが難しく熟練を要するものである。特に着付けた状態では、前身頃に於ける襟下側の裾先がせり上がってしまい、前身頃の下端縁が脇縫い側にかけて斜めになってしまう問題がある。これは、えもんを抜くためと、現代では下着の改良と体型の相違により胸の膨らみが強調されるようになっていることによって、前身頃が後身頃よりも短くなってしまうからである。
【０００３】
図１は長襦袢に於けるその状態を示す略図であって、前身頃１に於ける襟下２を含む裾先３はせり上がり、前身頃１の下端裾縁Ａは脇縫い４側にかけて斜めに下降した形態になり、着心地が悪く不体裁である。また、図２は着物に於けるその状態を示す略図であって、本来水平であるべき御端折り５の下縁（Ｂ）が脇縫い４側にかけて斜めに下がってしまい、甚だ不体裁になってしまう。この不都合を修正するため、図３に示すように、着付けの段階で帯６の下に隠されている御端折り５部分に於ける脇縫い４側を更に大きく端折っていたのであるが（鎖線にて示したＣ）、経時に従って着崩れてしまうと上記と同様に御端折り５下縁（Ｂ）が斜めに下がってしまう。
【０００４】
処で、特に前身頃の長さを予め調整する構成の技術として、従来より以下の如き発明の提案がある。
【特許文献１】特開２００３−１９３３０５号公報
【特許文献２】特開２００７−１６９８５７号公報
【発明の開示】
【発明が解決しようとする課題】
【０００５】
上記文献１は、御端折りを予め形成して留め具により着用できるように構成したものであって、簡単な着付けを目的としているだけであり、裾線が斜めにならないようにするための配慮は全く行われていない。
【０００６】
また、上記文献２は、御端折りを予め斜めに縫合する構成が開示されているが、ここでは水平であるべき御端折り下縁もまた平行に斜めになっている。その結果着付けた際に御端折り下縁を帯と平行に水平にしようとすると、先に示した図１と同様、必然的に裾線が斜めになってしまう不都合がある。
【０００７】
よって本発明は、上述した従来技術の欠点、不都合、不満を解消するべく開発された和服であって、着付け状態で帯の下縁、御端折りの下縁、前身頃の下縁が夫々平行で水平となるようにし、しかも着崩れしないようにすることを目的とする。
【課題を解決するための手段】
【０００８】
上記課題を解決するため、本発明の和服は、前身頃布を後身頃布より所定幅Ｄだけ長く設定すると共に、前記した前身頃布の一部に於ける脇縫い側を前記した所定幅Ｄ分だけ端折り、襟下側にかけて三角形のタックを形成して縫合したことを特徴とする構成である。
【発明の効果】
【０００９】
従って本発明では、前身頃布の長さを後身頃布より所定幅Ｄだけ長く設定し、且つ脇縫い側をこの所定幅Ｄ分だけ端折って襟下側にかけて三角形のタックを形成して縫合したため、前身頃布と後身頃布とを脇縫いして前身頃布と後身頃布の裾下端を揃えると、後身頃布に対して前身頃布の襟下側上部は余裕をもって膨らむことになる。
【００１０】
それ故、仕立てて着付けた状態では、えもんを抜いて胸の膨らみによって前身頃がとられても後身頃と同じ長さ丈となり、前身頃の裾下縁を水平にすることができることになり、即ち着付け状態で帯の下縁、御端折りの下縁、前身頃の下縁が夫々平行で水平となるのであり、また着付けが容易で着崩れることがない等、多くの作用効果を有する。
【発明を実施するための最良の形態】
【００１１】
先ず、所定の長さに裁断された反物１０を幅方向に沿って二つ折りして前身頃布１１と後身頃布１２よる半身１３を形成する。この場合、前身頃布１１は後身頃布１２よりも所定幅Ｄだけ長く設定する（図４参照、ここでは左半身のみを示す）。上記二つ折り部分は所謂「輪」と称される肩山１４部分である。
【００１２】
次いで前身頃布１１の一部に於ける脇縫い側１５を上記した所定幅Ｄ分（図４）だけ端折って折り込み、襟下側１６にかけて三角形のタック１７を形成して縫合する（図５参照）。
【００１３】
この状態では、前身頃布１１に於ける脇縫い側１５の長さは後身頃布１２と等しくなるものの、襟下側１６では依然として上記所定幅Ｄだけ長い。しかしながら前身頃布１１と後身頃布１２の裾下端Ａを揃えると、後身頃布１２に対して前身頃布１１の襟下側１６上部は余裕をもって膨らむ（弛む）のである。
【実施例１】
【００１４】
上記したタック１７を形成した半身１３にあって、袖付き、身八口部分を除く脇縫い側１５部分を縫製する。図示実施例は左半身１３であるが、同様の右半身１３を縫製し、後身頃布１２同士を縫合し、更に、衽、衿、袖等を縫合することになる。
【図面の簡単な説明】
【００１５】
【図１】従来の長襦袢の着付け状態を示す正面図である。
【図２】従来の着物の着付け状態を示す正面図である。
【図３】従来の着物の着付け状態を示す正面図である。
【図４】本発明に於ける半身の斜視図である。
【図５】本発明に於ける半身に於けるタックの縫製後の斜視図である。
【符号の説明】
【００１６】
１    前身頃
２    襟下    
３    裾先
４    脇縫い
５    御端折り
６    帯
１０  反物  
１１  前身頃布
１２  後身頃布
１３  半身
１４  肩山
１５  脇縫い側
１６  襟下側
１７  タック
Ａ    前身頃の下端裾縁
Ｂ    御端折り下縁
Ｃ    御端折り上縁
Ｄ    前身頃布の延長長さ
【図１】
2009084762.tif 000003
【図２】
2009084762.tif 000004
【図３】
2009084762.tif 000005
【図４】
2009084762.tif 000006
【図５】
2009084762.tif 000007
(57)【要約】【課題】ブラジャーなど、胸用肌着を着用しなくても、胸が外から透けて見えたり、胸のでっぱりが目立ってしまうことを確実に防止し、急な来客や、ちょっとしたゴミだし等の外出にも安心して過ごすことができる。また、暑い夏でも１枚のみで着られ、パットや胸当てが入っていないので、そのまま寝てもかさばらず快適に過ごせる。【解決手段】この女性用部屋着は、胸の部分の表側に複数段のギャザー入りフリルを有することを特徴とする。そのため、左右の胸に当接する部分の生地がもちあがり、ブラジャー等の胸用肌着を着用しなくても、胸が外から透けて見えたり、胸のでっぱりが目立ってしまうことを確実に防止でき、急な来客やちょっとした外出にも安心して過ごすことができる。【選択図】  図１
2009084755.tif 000002
【特許請求の範囲】
【請求項１】
左右の胸に当接する部分の表側に複数段のギャザー入りフリルを有することを特徴とする女性用部屋着
【請求項２】
複数段のギャザー入りフリルが、2段のギャザー入りフリルである請求項１記載の女性用部屋着
【請求項３】
ギャザー入りフリルが白地または着色されたものである請求項１または請求項２に記載の女性用部屋着
【請求項４】
パット等かさばるものを使用せず１枚で着られるものである請求項１〜３のいずれか１項に記載の女性用部屋着
【請求項５】
女性用部屋着が女性用寝衣着である請求項１〜４のいずれか１項に記載の女性用部屋着
【発明の詳細な説明】
【技術分野】
【０００１】
本発明は、パジャマなどの女性用部屋着に関し、パット・ポケット等かさばるものを使用しなくとも胸が外から透けて見えたり、胸のでっぱりが目立ってしまうことが防止された女性用部屋着に関する。
【背景技術】
【０００２】
ブラジャー等の胸用肌着は胸を締め付けて圧迫するので自宅内や就寝時には外すことが多い。女性の約８割は自宅ではブラジャーを外している。（発明者調べ）
【０００３】
しかしながら、ブラジャー等の胸用肌着を着用しないとなると、胸が透けたり、胸のでっぱりが衣類の生地に密着して目立ってしまうことがあった。
【０００４】
このような場合、大半の女性はそのことを気にしている。同居人（家族）がいる場合などでも身内といえども、はずかしく思っている。透けるのがいやなので、薄手の肌着などをもう一枚着ている場合もあり、また、同居人がいない場合でも宅配便など急な来客があった場合や、ちょっとしたゴミだしなどで外に出るときなどは大変気になり、胸を張ることができず、前傾姿勢で対応するという場合もあった。
【０００５】
従来このような問題点を解消するために左右の胸が当接する部分の表側及び裏側にポケットを有する女性用衣類が提案されている（特許文献１参照）。しかしこの衣類はデザイン等に劣る等の問題点があった。
【特許文献１】実用新案登録第３１０８６０４号
【発明の開示】
【発明が解決しようとする課題】
【０００６】
本発明の目的は胸が外から透けて見えたり、胸のでっぱりが目立ってしまうことを確実に防止し、同居人や急な来客などにも安心して対応できる女性用部屋着を提供することにある。
【課題を解決するための手段】
【０００７】
本発明によれば、前述の課題を解決するための手段として、次の（１）〜（５）に記載の女性用部屋着が提供される。
（１）左右の胸に当接する部分の表側に複数段のギャザー入りフリルを有することを特徴とする女性用部屋着
（２）複数段のギャザー入りフリルが、2段のギャザー入りフリルである上記（１）に記載の女性用部屋着
（３）ギャザー入りフリルが白地または着色されたものである（１）または（２）に記載の女性用部屋着
（４）パット等かさばるものを使用せず１枚で着られるものである（１）〜（３）のいずれかに記載の女性用部屋着
（５）女性用部屋着が女性用寝衣着である（１）〜（４）のいずれかに記載の女性用部屋着
【発明の効果】
【０００８】
本発明によれば、女性用部屋着の左右の胸が当接する部分の表側に複数段のギャザー入りフリルを形成することで、このフリルの生地の部分がもちあがり、ブラジャー等の胸用肌着を着用しなくても、胸が外から透けて見えたり、胸のでっぱりが目立ったりすることを確実に防止できる。また、人目を気にする必要がなくなるので、自宅内に同居人がいても問題がない。この複数段のギャザー入りフリルは不透明である方が好ましい。
【０００９】
更に、胸用肌着が不要となるので、胸の圧迫感がなくなり、１枚のみで過ごすことができ、パット等かさばるものがないのでそのまま快適に就寝したりでき、しかも、急な来客や宅配便の夜間配達があっても慌てることなく対応できる。また、病気や怪我などにより、病院などに入院している場合においても人目を気にせずリラックスして過ごすことができる。
【発明を実施するための最良の形態】
【００１０】
以下、本発明の一実施例を図面に基づき説明する。図１に示すように、本発明の女性用部屋着は、左右の胸に当接する部分の表側に複数段のギャザー入りフリル３が形成されている。これにより、ギャザー入りフリルの生地の部分がもちあがり、ブラジャー等の胸用肌着を着用しなくても、胸が外から透けて見えたり、胸のでっぱりが目立ったりすることを確実に防止できる。
前記ギャザー入りフリルの段数については、特に限定されないが、好ましくは２〜５段、更に好ましくは２段である。また、ギャザー入りフリルが２段である場合、フリルの幅は３〜５ｃｍ程度であれば、十分胸をかくすことが可能である。
更に、図１に示すように、複数段のギャザー入りフリルは、一段目と二段目のフリルが少し重なるように形成されている。このように、複数段のギャザー入りフリルは重なるように形成させることが好ましい。これにより、胸が外から透けて見えたり、胸のでっぱりが目立ったりすることをより確実に防止することが可能となる。
【００１１】
また、本発明の女性用部屋着は、図１に示すように上着とすることもできるし、ワンピースとすることもできる。更に、図１では頭から被るような形状のものを示したが、前開きの形状とすることもできる。
【産業上の利用可能性】
【００１２】
本発明は、胸が外から透けて見えたり、胸のでっぱりが目立ってしまうことを確実に防止し、急な来客等がある場合でも安心してすごせる女性用部屋着である。ギャザー入りフリルを胸の表面部分に取り付けるだけなので、コストもかからず、デザイン性もある。
【図面の簡単な説明】
【００１３】
【図１】本発明の女性用部屋着の正面図である。ギャザー入りフリル２段を有する女性用部屋着を示したものである。
【符号の説明】
【００１４】
・  女性用部屋着
・  女性用部屋着本体
・  ギャザー入りフリル
・  襟部
【図１】
2009084755.tif 000003
(57)【要約】【課題】  釣餌の自動揺動装置においては、消費エネルギーが大きい、持ち運びに不便である、使用勝手が良くないという不都合を解決すること。【解決手段】  釣竿のガイドとガイドの間の釣糸、あるいはリールとガイドの間の釣糸自体を、クランク機構で動かす。また、本装置にセットする釣竿の二箇所の支持部のうち、一箇所を揺動装置から取り、もう一箇所を地面などの周囲の構造物から取ることにより、揺動装置で釣竿を全て支持するよりも、周囲の地面などを利用して、釣竿の支持部を取る方が、より装置をコンパクトにできる。【選択図】図１
2009178157.tif 000002
【特許請求の範囲】
【請求項１】
汎用の釣竿と手動式リールを用いて、その釣糸を自動で動かすことにより、水中の釣餌を揺らすことを特徴とした釣餌の自動揺動装置。
【請求項２】
釣竿のガイドとガイドの間の釣糸、あるいはリールとガイドの間の釣糸を自動で動かすことにより、水中の釣餌を揺らすことを特徴とした釣餌の自動揺動装置。
【請求項３】
釣竿の支持部は、竿尻と竿の中点付近の二箇所であるが、竿の中点付近の支持部は本揺動装置で支持され、竿尻の支持部は地面など周囲の構造物により支持されることを特徴とした釣餌の自動揺動装置。
【請求項４】
魚が食いついた際に、釣竿を垂直に持ち上げるだけで、釣竿と揺動装置が分離できることを特徴とした釣餌の自動揺動装置。
【発明の詳細な説明】
【技術分野】
【０００１】  本発明は釣餌の自動揺動装置に関するものである。汎用の釣竿と手動式リールをセットした釣具において、その釣糸だけを動かすことで消費電力の軽減、使用上の利便性向上を実現したものである。
【背景技術】
【０００２】  従来から釣餌を上下揺動させる装置としては、竿自身を上下させる揺動装置が知られている。この例として特許文献１に開示されているものがある。
【特許文献１】  特開２００４−３５７６２５号公報
【発明の開示】
【発明が解決しようとする課題】
【０００３】  しかし、従来のような竿ごと釣餌を揺らす自動揺動装置では、消費エネルギーが大きく効率が悪い。本発明は、このような消費エネルギーのロスを無くすことを課題とする。また、装置を持ち運びやすく、使用勝手を向上することも課題とする。
【課題を解決するための手段】
【０００４】  この課題を解決するための請求項１の発明は、釣糸を自動で動かすことにより、水中の釣餌を揺らすことを特徴とした釣餌の自動揺動装置である。釣糸を動かすことで、上下させる負荷は竿ごと上下させるよりも低減できる。【０００５】  請求項２の発明は、釣竿のガイドとガイドの間の釣糸、あるいはリールとガイドの間の釣糸を、クランク機構で動かすことにより、水中の釣餌を揺らすことを特徴とした釣餌の自動揺動装置である。これにより、装置をコンパクトにし、且つ釣糸のみを動かすという本システムの成立が実現できる。【０００６】  請求項３の発明は、本装置にセットする釣竿の二箇所の支持部のうち、一箇所を揺動装置から取り、もう一箇所を地面などの周囲の構造物から取ったことを特徴とする釣餌の自動揺動装置である。揺動装置で釣竿を全て支持するよりも、周囲の地面などを利用して、釣竿の支持部を取る方が、より装置をコンパクトにできる。【０００７】  また、請求項４の発明は、魚が食いついた際に、釣竿を垂直に持ら上げるだけで、釣竿と揺動装置が分離できることを特徴とした釣餌の自動揺動装置である。釣竿を一方向に、垂直に持ち上げるだけで釣竿と揺動装置が分離できることは、釣人の動作を素早くし、釣れている魚を逃がさないということに大きな効果がある。
【発明の効果】
【０００８】  本発明により、揺動装置の消費エネルギーは主として釣糸に付属する釣餌、仕掛けにのみ費やされるので、消費エネルギーを低減することができる。また、揺動装置のコンパクト化に伴い、持ち運びやすくなる。そして、ワンタッチで釣竿と揺動装置が分離できることから、使用勝手が向上する。
【発明を実施するための最良の形態】
【０００９】  図１は本発明の釣餌の自動揺動装置を堤防上に置き、釣餌の揺動ができるように釣竿を本装置の上に配置した側面図である。同図のように平面状に配置して使用すると釣餌が上下する揺動機構が成立する。また、堤防によっては設置されていることもある落下防止用の手すりに引っ掛けて使用することも、適応範囲内であれば可能である。
【産業上の利用の可能性】
【００１０】  一般的に使用されている釣餌の自動揺動装置というものが無い中、本装置は使い勝手が良く、取り扱いが容易であるという点で、産業上の利用可能性を有する。
【図面の簡単な説明】
【００１１】
【図１】  釣餌の自動揺動装置を堤防上に置き、釣餌の揺動ができるように釣竿を本装置の上に配置した側面図である。
【図２】  釣餌の自動揺動装置の拡大平面図である。
【符号の説明】
【００１２】１    釣餌の自動揺動装置
２    釣糸
３    リール
４    釣竿
５    堤防などの平坦地面
６    クランクを動かすため内蔵されたギアモータ
７    ギアモータを駆動するため内蔵された乾電池
８    竿受け
９    支持フレーム
１０  クランクレバー
１１  クランクアーム
１２  クランク回転軸部
【図１】
2009178157.tif 000003
【図２】
2009178157.tif 000004
(57)【要約】【課題】    本発明は、蕎麦やうどん  の生地に一定の加工を加えて、蕎麦うどんを製麺するための器具である。通常は大きな板を使用するが、作業が難しいのでこれを解決するために、簡単に一定の厚さに自由に生地を延ばす事が出来る製麺用器具を提供する。【解決手段】    あらかじめよく練ったうどん、蕎麦の生地のかたまりを、床板の上でローラーにより薄く延ばす。その際床板とローラーとの間に隙間を作るために、ローラーの中軸の太さを変えることにより、簡単に目的に合った、厚さの生地を作ることができる。【選択図】図１
2009178161.tif 000002
【特許請求の範囲】
【請求項１】
あらかじめよく練った、うどん、そば、の生地のかたまりを、床板の上で、ローラーにより薄く延ばす際、床板とローラーの間に隙間を作るための、中軸の太さを変えることにより、簡単に目的に合った厚さの生地を作るための、製麺用器具。
【発明の詳細な説明】
【技術分野】
【０００１】  本発明は、蕎麦やうどん、を製麺するときに使用するものであって、蕎麦うどんの生地を引き伸ばす際、簡単に目的に合った、厚さの生地に引きのばすことが出来る、製麺用器具に関するものである。
【背景技術】
【０００２】  従来、蕎麦やうどんを作る際は、大きな木の板の上などに、麺棒で、そばやうどん、の生地を伸ばし、その後大きな包丁などで、これを適当な幅に切っていたものが、一般的である。
【発明の開示】
【発明が解決しようとする課題】
【０００３】  従来の、蕎麦やうどん、を製麺するには次のような問題点があった。（イ）大きな板に生地を均一（同じ厚さ）に延ばすことは、高度な技術と経験が必要とされ、最も難しく厚さも不揃いになってしまうことが多い。（ロ）またこれを細長く裁断の際、生地を折りたたむので、生地同士が接着してしまうことが多いため、非常に難しいものである。しかし街中で見るそば職人などのような技術を得るには、長年かかるといわれており、これを習得することは、一般的には非常に大変なものである。（ハ）本発明は以上の問題点を解決し、簡単に蕎麦うどんの生地を引き延ばすことが出来るようになされたものである。
【課題を解決するための手段】
【０００４】  あらかじめよく練った、うどん、そば、の記事の塊を、床板の上で、ローラーにより、薄く延ばすものです。またその際、床板と、ローラーの間に隙間を作るために、、中軸の太さを変えることにより、簡単に目的に合った、厚さの生地をつくるための、製麺用器具である。
【発明の効果】
【０００５】  そばやうどんの記事を簡単に利用目的にあった厚さにのばすことができるため、従来のように大きな板を使用したり、数多く何回ものばしたり、丸めたりすることがなくなる。このため誰でもが、より簡単に製麺を仕上げることができる・
【発明を実施するための最良の形態】
【０００６】  以下本発明の実施の形態を説明する。
（イ）そば、うどん、の生地をのばすため、床板及び側板を設ける。
（ロ）記事を伸ばすための円筒体および厚さ調整のための、取り外し可能な中軸を設ける。
（ハ）目的にあった太さの中軸を、円筒体にさしこむ。本発明は、以上の構成よりなっている。
本発明を使用する場合は、まず生地を型枠（Ａ）に入れてゆっくりと延ばしていく。生地を延ばした際ローラー（Ｂ）と床板（１）との差が、一定の隙間になるように自由に変えることが出来るため、これによりどんなに力を加えてもこれ以上薄くなったり厚くなったりすることは無いと同時に目的に合った、厚さの生地を簡単に作ることが出来る。これを裁断用のカッターで細長く切ることにより、蕎麦やうどんが誰でも簡単にできることになる。
【図面の簡単な説明】
【０００７】
【図１】本発明の斜視図
【図２】本発明の分解正面図
【図３】本発明の使用状況を示す側面図
【符号の説明】
【０８】Ａ    型枠
Ｂ    ローラー
１    床板
２    側板
３    円筒体
４    中軸
５    中空穴
６    隙間
７    延ばす前の生地
８    延ばした後の生地
【図１】
2009178161.tif 000003
【図２】
2009178161.tif 000004
【図３】
2009178161.tif 000005
(57)【要約】      （修正有）【課題】モータの軸ブレをハウジングのケースとステーターを分離点せる事によってボールベアリングで固定した軸を移動する代わりにステーターの位置を移動させることにより各動力部の接触部の摩擦係数を低く抑えて高効率を維持する。【解決手段】モータの内部で固定子が周囲の部材に強固に固定されていないで、磁力が作用した場合、短い距離の位置なら空間をほぼ自由に移動可能な状態に保持し、モータの始動時や停止時に磁気作用による位置の安定を得るのに、固定子の位置を移動させる。【選択図】図１
2009178015.tif 000002
【特許請求の範囲】
【請求項１】
モータの内部で固定子が周囲の部材に強固に固定されていないで、磁力が作用した場合、短い距離の位置なら空間をほぼ自由に移動可能な状態に保持し、モータの始動時や停止時に磁気作用による位置の安定状態を得るのに、ボールベアリングで固定されたシャフトを強制的に位置の移動をさせて軸ブレを発生させて軸芯のブレによるギアーやプーリーやシャフトシールの接触部の摩擦係数を上昇させてエネルギーロスを増大させる替わりに、前記固定子の位置を移動させて前記摩擦係数を低下させた状態で回転子を効率よく回転させ、モータの性能の効率を上げる構造のモーター。
【請求項２】
モータ内部で始動時や停止時に起こる磁力の変動を固定子と回転子の間で磁力の平衡を得る為に位置を変動するのを、固定子をモータのハウジングのケースと分離させ、又、モータ内部の他の部材と互いに固定しあわないで短い距離の位置を固定子が自由に移動出来るように周囲に空間を配置することによって磁力の変動が生じた時に固定子を移動させて軸ブレを発生させない構造のモータ。
【請求項３】
モータ内部の出力軸側の軸受をモータの外部に突き出た軸と連携するプーリのベルトやギアーの外側に配置して、軸にオーバーハング荷重やラジアル荷重を構造的に小さくする構造のモータ。
【発明の詳細な説明】
【技術分野】
【０００１】  当該発明は、モータの巻線（１）とハウジング（７）を兼ねたヨークと界磁石からなるステーター（２）の周囲に空間（５）配し、前記ハウジング（７）のケースと前記ステーター（２）を分離して、自在に変形する弾性体の支え棒（６）で支えることによって、ローター（３）との間に磁力が作用した時、ボールベアリング（９）でシャフト（４）を固定しているのに対して短い位置なら自由に移動できるステーター（２）を移動させて軸ブレによりプーリーのベルトやギアーやシャフトシール（１０）の接触摩擦係数を軽減させてモータの効率を上げると共にウエイブワッシャー（８）によるスラスト荷重の影響を従来通り軽減すると同時に、必要に応じて、出力側のボールベアリングの位置をハウジングの外のシャフト（４）上のプーリーのベルト又は、ギアーの外側の位置に移してシャフト（４）に与えるラジアル荷重の影響を減少させる高効率のモータです。
【背景技術】
【０００２】従来のモータは、モータ内部の磁力の作用でモータの始動時や停止時に軸ブレを起こし、オイルシールやプーリーやギアーの軸芯のブレによる摩擦圧の増大に基ずくエネルギーロスとそれに伴う熱の発生が効率を悪くしていた。
【当該技術】
【０００３】当該技術は、モータの内部の固定子を内部の他の部材により固く固定せず磁力が作用した場合、短い距離の範囲で内部空間を自由に位置の移動が可能にすることによって、従来、２箇所のボールベアリングで軸を固定していたのを磁力の作用の変動で始動時や停止時に起こす軸ブレによるオイルシールやプーリーやギアーの摩擦増大を阻止することによって高効率を維持するモータ。
【図面の簡単な説明】
【０００４】
【図１】当該モータの断面図の一例
【符号の説明】
【０００５】１．巻線                  ２．ステーター
３．ローター              ４．シャフト
５．空間                  ６．弾性体の板
７．ハウジング            ８．ウエイブワッシャー
９．ボールベアリング    １０．シャフトシール
【図１】
2009178015.tif 000003
(57)【要約】【課題】補填時の操作性を向上し、高い生体適合性を有する骨補填材を提供する。【解決手段】液状のＬ−オリゴ乳酸と、液状のＤ−オリゴ乳酸と、リン酸カルシウム粉末または顆粒とを混合してなる骨補填材を提供する。【選択図】      なし【特許請求の範囲】
【請求項１】
液状のＬ−オリゴ乳酸と、液状のＤ−オリゴ乳酸と、リン酸カルシウム粉末または顆粒とを混合してなる骨補填材。
【請求項２】
ポリ乳酸粉末または顆粒をさらに混合してなる請求項１に記載の骨補填材。
【請求項３】
薬剤をさらに混合してなる請求項１または請求項２に記載の骨補填材。
【発明の詳細な説明】
【技術分野】
【０００１】
本発明は、骨補填材に関するものである。
【背景技術】
【０００２】
従来、骨腫瘍などの治療に伴って生じた骨欠損部の補填には、顆粒状の人工骨がしばしば用いられている。しかしながら、切開部の皮膚組織に付着して除去しにくいなど、補填時の操作性が悪く、また補填後に人工骨が散逸してしまう不都合が知られている（例えば、特許文献１参照。）。
そして、これらの問題点を解決するために、リン酸カルシウムを高分子水溶液と練和し、体内で硬化させる技術が試みられている（例えば、特許文献２参照。）。
【０００３】
【特許文献１】特許第３７３９７１５号公報
【特許文献２】特許第２８０８４１０号公報
【発明の開示】
【発明が解決しようとする課題】
【０００４】
しかしながら、特許文献２の技術は、生体に適合しない成分を用いるため、生体適合性の観点から好ましくないという不都合がある。
本発明は上述した事情に鑑みてなされたものであって、補填時の操作性を向上し、高い生体適合性を有する骨補填材を提供することを目的としている。
【課題を解決するための手段】
【０００５】
上記目的を達成するために、本発明は以下の手段を提供する。
本発明は、液状のＬ−オリゴ乳酸と、液状のＤ−オリゴ乳酸と、リン酸カルシウム粉末または顆粒とを混合してなる骨補填材を提供する。
本発明によれば、液状のＬ−オリゴ乳酸と、液状のＤ−オリゴ乳酸とを混合すると、ステレオコンプレックスの形成によって、経時的に結晶化して硬化する。したがって、リン酸カルシウム粉末または顆粒を液状のＬ−オリゴ乳酸と液状のＤ−オリゴ乳酸との液状の混合物に混合して、流動性を有する間に補填することでシリンジ等により容易に患部に充填することができる。そして、患部に注入された後には、硬化してその部位に定着する。さらに、オリゴ乳酸による酸刺激によって、周囲の細胞が活性化され、骨形成が促進される。また、オリゴ乳酸が、細胞と高い接着性を有するので、細胞をさらに活性化させて、早期に患部を修復することができる。
【０００６】
上記発明においては、ポリ乳酸粉末または顆粒をさらに混合してなることとしてもよい。
このようにすることで、ポリ乳酸の作用により、オリゴ乳酸の散逸を低減し、細胞をさらに刺激して活性化することができる。
【０００７】
また、上記発明においては、薬剤をさらに混合してなることとしてもよい。
このようにすることで、薬剤の作用により、細胞の成長促進等を図ることができる。薬剤としては、ＢＭＰ、ＦＧＡ、ＴＧＦβ、ＰＤＧＦ、ＶＥＧＦ等の成長因子、ＰＴＨ、プロスタグランジン等のホルモン剤およびペプチド製剤の少なくとも１つが挙げられる。
【発明の効果】
【０００８】
本発明によれば、補填時の操作性を向上し、生体適合性を向上することができるという効果を奏する。
【発明を実施するための最良の形態】
【０００９】
以下に、本発明に係る骨補填材の一実施形態について説明する。
本実施形態に係る骨補填材は、液状のＬ−オリゴ乳酸と、液状のＤ−オリゴ乳酸と、βリン酸三カルシウム粉末または顆粒とを混合することにより構成されている。液状のＬ−オリゴ乳酸と液状のＤ−オリゴ乳酸との混合比率は、質量比で約１：１である。また、これらのオリゴ乳酸の重合度は、７〜１４である。
【００１０】
Ｌ−オリゴ乳酸およびＤ−オリゴ乳酸は以下のようにして合成した。
Ｌ−オリゴ乳酸は、エタノール（和光純薬）１．１５ｇ（２５ｍｍｏｌ）、Ｌ−ラクチド（Ｐｕｒａｃ）１４．４ｇ（１００ｍｍｏｌ）、エチルヘキサン酸スズ（和光純薬）２０μＬをなす型フラスコに投入し、アルゴン置換した。オイルバスを用いて１２０℃で１時間反応させた。常温に冷却した後にクロロホルム２０ｍＬを加え、溶解させた。溶液をヘキサンに滴下し生成物と未反応モノマーを分離した。生成物を重クロロホルムに溶解させ、1Ｈ−ＮＭＲ測定を行った。ケミカルシフトのピーク面積比から重合度を決定した。Ｄ−オリゴ乳酸は、Ｄ−ラクチド（Ｐｕｒａｃ）を用いて同様に合成した。
【００１１】
本実施形態に係る骨補填材は、上記のようにして合成されたＬ−オリゴ乳酸（重合度９．２）、およびＤ−オリゴ乳酸（重合度８．８）をそれぞれ２ｇずつ計量した。リン酸三カルシウム１００ミリグラムをＬ−オリゴ乳酸に添加した後にＤ−オリゴ乳酸を加え、混合した。混合後直ちに白濁、硬化が始まり固形のステレオコンプレックス人工骨を得た。これらＬ−オリゴ乳酸、Ｄ−オリゴ乳酸とステレオコンプレックス人工骨を混合することにより、本実施形態に係る骨補填材を得た。
【００１２】
本実施形態に係る骨補填材は、混合した時点では流動性を有し、経時的に結晶化して硬化していく。
この性質を利用して、混合直後に患部に注入することにより、流動性を有した状態で操作でき、補填性、操作性が良好であるという利点がある。
【００１３】
すなわち、流動性を有する本実施形態に係る骨補填材は、患部の隅々にまで入り込んで隙間なく充填される。また、シリンジのような充填器具によって簡易に充填することができる。
【００１４】
また、本実施形態に係る骨補填材は、患部に充填された後には、ステレオコンプレックス形成によって経時的に硬化し、その場に定着する。そして、患部に存在する細胞を接着させることができ、細胞の成長を促進することができる。
【００１５】
さらに、骨補填材を構成するＬ−オリゴ乳酸およびＤ−オリゴ乳酸に含まれる乳酸の作用によって、細胞に酸刺激を与えて活性化し、βリン酸三カルシウム粉末または顆粒を足場とした骨形成の促進を図ることができる。その結果、患部を早期に修復することができる。
【００１６】
さらに、本実施形態に係る骨補填材は、全て生体吸収性の材料により構成されているので、経時的に吸収され自家骨に置き換わっていく。したがって、体内に異物を残さずに済むという利点がある。
【００１７】
なお、本実施形態においては、βリン酸三カルシウム粉末または顆粒に代えて、ハイドロキシアパタイトのような他のリン酸カルシウム粉末または顆粒を混合してもよい。また、ＢＭＰ、ＦＧＡ、ＴＧＦβ、ＰＤＧＦ、ＶＥＧＦ等の成長因子、ＰＴＨ、プロスタグランジン等のホルモン剤およびペプチド製剤の少なくとも１つのような薬剤を混合してもよい。
(57)【要約】      （修正有）【課題】キャップを携帯することにより外出先で買ったジュースなどを、哺乳瓶への詰め替えなしで簡単に乳幼児に飲ませることができ、簡易哺乳瓶としても利用できるシリコンちくび付ペットボトルキャップの提供。【解決手段】接続部をペットボトルの口のサイズに合わせたシリコンちくび１を、穴のあいたペットボトルキャップ２にてペットボトルに取り付ける。【選択図】図２
2009178530.tif 000002
【特許請求の範囲】
【請求項１】
シリコンちくびを取り付けたペットボトルキャップ
【発明の詳細な説明】
【技術分野】
【０００１】  本発明は、ペットボトルキャップに関する。
【背景技術】
【０００２】  従来のペットボトルキャプには、ワンッタッチで開閉可能のものやストロー付のものがある。
【発明の開示】
【発明が解決しようとする課題】
【０００３】  シリコンちくび付ペットボトルキャップの提供
【課題を解決するための手段】
【０００４】  接続部をペットボトルの口のサイズに合わせたシリコンちくび１を、穴のあいたペットボトルキャップ２にてペットボトルに取り付ける。
【発明の効果】
【０００５】  キャップを携帯することにより外出先で買ったジュースなどを、哺乳瓶への詰め替えなしで簡単に乳幼児に飲ませることができる。【０００６】  ホット用ペットボトルと合わせて使用すれば、簡易哺乳瓶として利用できる。
【図面の簡単な説明】
【０００７】
【図１】  全体図
【図２】  断面図
【図３】  広口ペットボトル用ちくび付ペットボトルキャップ断面図
【図１】
2009178530.tif 000003
【図２】
2009178530.tif 000004
【図３】
2009178530.tif 000005
(57)【要約】【課題】  従来の歯ブラシは、ブラシ面が平面であった。従って隙間や溝の磨き残しが多く、ブラシの毛先もすぐひろがっていた。ブラシ面をピラミッド形状にし、ピラミッドの峰にあたる列のブラシ毛の毛質を一段階固めにする事により、磨き残しが少なくなり、ブラシ毛の寿命を長くできる歯ブラシを提供する。【解決手段】ブラシ面の形状をピラミッド状にして、ピラミッドの峰にあたる列のブラシ毛の毛質を一段階固めにして着色する事を特徴とする。【選択図】図１
2009178527.tif 000002
【特許請求の範囲】
【請求項１】
歯ブラシヘッドの中心部を頂上として、ピラミッド形状にして、その峰に当たる列のブラシ毛の毛質を固めにし、着色した歯ブラシ。
【発明の詳細な説明】
【発明の詳細な説明】
【技術分野】
【０００１】この発明は、ブラシ面のカット形状をピラミッド状にした歯ブラシに関するものである。
【発明が解決しようとする課題】
【０００２】従来の歯ブラシは、ブラシ面が平面であったため、歯と歯の隙間や、歯の溝に磨き残しが多く、２０日ぐらい使用すると毛先が広がってますます磨き効率が下がるという状態になっていた。
【課題を解決するための手段】
【０００３】本発明は、今までと同様に磨いていても細かい隙間等の磨き残しが無くなるように、ブラシ面を平面ではなく、突出したピラミッド形状にカットした。
しかも、ピラミッドの峰に当たる列のブラシ毛の毛質を一段階固くする事により、磨けている箇所が意識できる様にした。
【発明の効果】
【０００４】ブラシ毛の面をピラミッド形状にする事により、細かい隙間や歯の溝にブラシの毛先が届くため、磨き残しが少なくなり、ブラシの毛先が広がらなくても磨けるために歯ブラシの寿命を長くする事が可能となった。
【図面の簡単な説明】
【図１】本発明の正面図である。
【図２】本発明の側面図である。
【図３】本発明の上面図である。
【符号の説明】
１  ブラシ毛
２  着色した固めのブラシ毛
３  歯ブラシの柄
【図１】
2009178527.tif 000003
【図２】
2009178527.tif 000004
【図３】
2009178527.tif 000005
(57)【要約】【課題】  健康維持と健康増進。【解決手段】  耳栓型の純銀又は、純銀の表面に金メッキを施したものを耳穴に差し込む。【選択図】図１
2009178526.tif 000002
【特許請求の範囲】
【請求項１】
耳栓の様な形状と耳栓の様な形状の中心部に穴を開け、これを耳穴に差込み、外耳道と耳入り口付近を刺激する健康器具。
【請求項２】
請求項１は、９０ｗｔ％以上の銀を含有する金属及びその金属の表面に金メッキを施したもの。
【発明の詳細な説明】
【技術分野】
【０００１】  請求項１及び請求項２は外耳道と耳穴入り口付近を刺激することで安全かつ簡単にできる健康維持と健康増進のための健康器具。
【背景技術】
【０００２】  実用新案登録第３１３８０３１の健康器具を使用して外耳道と耳穴付近を刺激したところ、いろいろな効果があったので、それを容易に簡単にできる方法として考案した。
【発明の開示】
【発明が解決しようとする課題】
【０００３】  健康維持と健康増進。
【課題を解決するための手段】
【０００４】  ９０ｗｔ％以上の銀を含有する金属及びその金属の表面に金メッキを施した、耳栓の様な形状と耳栓の様な形状の中心部に穴を開け（音を聞くため）これを耳穴に差込み、刺激する健康器具を考案した。
【発明の効果】
【０００５】  外耳道と耳穴入り口付近を刺激することにより、血流が良くなるため、耳付近の筋肉が緩み、頭痛や目の疲れや肩こりなどに影響するので、健康維持と健康増進に役立つ。
【発明を実施するための最良の形態】
【０００６】  図１の形状にした。
【産業上利用の可能性】
【０００７】  誰でも、何処でも、何時でも簡単にできる健康維持と健康増進法ある。予防や改善ができるので医療費の削減になる。
【図面の簡単な説明】
【０００８】
【図１】  本発明の耳栓のような形状
【符号の説明】
【０００９】  １、一般的な型
２、一般的な型に音を聞く為の穴を開けたもの
３、ストレート型
【図１】
2009178526.tif 000003